(57)【特許請求の範囲】
【請求項１】
利用者がかざす非接触通信媒体と非接触通信することで当該非接触通信媒体の情報を読み取る携帯端末において、
前記非接触通信媒体と非接触通信するためのアンテナであってそれぞれ離間する位置に配置される複数のアンテナと、
前記非接触通信媒体が前記複数のアンテナのいずれかにかざされたことを検出する検出手段と、
前記検出手段による検出結果に基づいて前記利用者の要求を特定する特定手段と、
を備え、
前記特定手段は、前記複数のアンテナのうちいずれか１つに前記非接触通信媒体がかざされたことが前記検出手段により検出されると、他のアンテナに対して前記非接触通信媒体がかざされたことが前記検出手段により検出されない場合に、前記１つのアンテナに前記非接触通信媒体がかざされたことに基づいて、前記利用者の要求を特定することを特徴とする携帯端末。
【請求項２】
前記複数のアンテナのうちいずれか２つ以上にて前記非接触通信媒体がかざされたことが前記検出手段により検出されると、これらのアンテナの受信感度を徐々に下げる受信感度調整手段を備えることを特徴とする請求項１に記載の携帯端末。
【請求項３】
前記複数のアンテナは、第１のアンテナおよび第２のアンテナから構成され、
これら第１のアンテナおよび第２のアンテナは、当該携帯端末の外面のうち互いに離間して対向する一側面および他側面にて、前記非接触通信媒体と非接触通信可能にそれぞれ配置されることを特徴とする請求項１または２に記載の携帯端末。
【請求項４】
前記第１のアンテナに前記非接触通信媒体をかざすことで選択される第１の選択事項と、前記第２のアンテナに前記非接触通信媒体をかざすことで選択される第２の選択事項とを表示可能な表示手段を備え、
前記第１の選択事項は、前記表示手段の表示面において、前記第１のアンテナに対して前記第２の選択事項よりも近くなる位置にて当該第１のアンテナが配置される位置を示すように表示され、
前記第２の選択事項は、前記表示面において、前記第２のアンテナに対して前記第１の選択事項よりも近くなる位置にて当該第２のアンテナが配置される位置を示すように表示されることを特徴とする請求項３に記載の携帯端末。
【請求項５】
前記第１の選択事項および前記第２の選択事項は、前記表示手段の表示面において、前記利用者側から読めるように表示向きが変更されることを特徴とする請求項４に記載の携帯端末。
【請求項６】
前記非接触通信媒体は、前記利用者が決済するための決済処理用の通信媒体であって、
前記特定手段は、前記検出手段による検出結果に基づいて前記利用者により選択された決済事項を前記利用者の要求として特定することを特徴とする請求項１〜５のいずれか一項に記載の携帯端末。
【発明の詳細な説明】
【技術分野】
【０００１】
本発明は、利用者がかざす非接触通信媒体と非接触通信することで当該非接触通信媒体の情報を読み取る携帯端末に関する。
【背景技術】
【０００２】
従来、利用者、特に顧客がかざす非接触通信媒体と非接触通信することで当該非接触通信媒体の情報を読み取る携帯端末に関する技術として、下記特許文献１に示す非接触ＩＣカードリーダ／ライタ装置が知られている。この非接触ＩＣカードリーダ／ライタ装置は、非接触ＩＣカードとの間で搬送波の送受信を行う複数のアンテナと、これら複数のアンテナが非接触ＩＣカードから個々に受信した搬送波の電圧レベルをそれぞれ検出するＡ／Ｄ変換器と、各Ａ／Ｄ変換器により検出された電圧レベルに基づいて、非接触ＩＣカードの位置を算出する制御部と、を有している。このように構成されることにより、検出した電圧レベルに基づいて非接触ＩＣカードリーダ／ライタ装置に対する非接触ＩＣカードの位置を算出して特定している。
【先行技術文献】
【特許文献】
【０００３】
【特許文献１】特願２００４−１３２８９０号公報
【発明の概要】
【発明が解決しようとする課題】
【０００４】
ところで、決済用の携帯端末を使用して決済処理を実施する場合、通常、接客する端末操作者が、口頭にて利用者に対して決済条件等の確認を行ない、当該携帯端末に対して入力する作業を行なう。このとき、端末操作者の聞き間違いや入力操作のミス等により、利用者の要求とは異なる決済条件等が選択されてしまう可能性があった。このため、利用者に、携帯端末に設けられるタッチパネルやボタンを操作してもらうことで決済条件等を入力（選択）させる方法も考えられる。しかしながら、携帯端末においては、携帯性を確保するために小型に形成されるので、慣れない利用者ではボタン操作が困難であるという問題があり、盗難防止のために端末自体を利用者に渡す行為が禁止されるなどの問題もある。
【０００５】
この問題を解決するために、上記特許文献１に開示されるような非接触ＩＣカードの位置を算出することで利用者の要求を特定する構成を採用することが考えられる。しかしながら、複数配置されたアンテナそれぞれの受信レベルを測定してＩＣカードの位置を検出する構成であるため、受信レベルを測定する為にＡＤ変換回路などの特別な回路が必要になるという問題がある。
【０００６】
本発明は、上述した課題を解決するためになされたものであり、その目的とするところは、簡易な構成にて利用者が要求する選択事項を確実に選択し得る携帯端末を提供することにある。
【課題を解決するための手段】
【０００７】
上記目的を達成するため、特許請求の範囲に記載の請求項１の携帯端末では、利用者がかざす非接触通信媒体と非接触通信することで当該非接触通信媒体の情報を読み取る携帯端末において、前記非接触通信媒体と非接触通信するためのアンテナであってそれぞれ離間する位置に配置される複数のアンテナと、前記非接触通信媒体が前記複数のアンテナのいずれかにかざされたことを検出する検出手段と、前記検出手段による検出結果に基づいて前記利用者の要求を特定する特定手段と、を備え、前記特定手段は、前記複数のアンテナのうちいずれか１つに前記非接触通信媒体がかざされたことが前記検出手段により検出されると、他のアンテナに対して前記非接触通信媒体がかざされたことが前記検出手段により検出されない場合に、前記１つのアンテナに前記非接触通信媒体がかざされたことに基づいて、前記利用者の要求を特定することを特徴とする。
【０００９】
請求項２の発明は、請求項１に記載の携帯端末において、前記複数のアンテナのうちいずれか２つ以上にて前記非接触通信媒体がかざされたことが前記検出手段により検出されると、これらのアンテナの受信感度を徐々に下げる受信感度調整手段を備えることを特徴とする。
【００１１】
請求項３の発明は、請求項１または２に記載の携帯端末において、前記複数のアンテナは、第１のアンテナおよび第２のアンテナから構成され、これら第１のアンテナおよび第２のアンテナは、当該携帯端末の外面のうち互いに離間して対向する一側面および他側面にて、前記非接触通信媒体と非接触通信可能にそれぞれ配置されることを特徴とする。
【００１２】
請求項４の発明は、請求項３に記載の携帯端末において、前記第１のアンテナに前記非接触通信媒体をかざすことで選択される第１の選択事項と、前記第２のアンテナに前記非接触通信媒体をかざすことで選択される第２の選択事項とを表示可能な表示手段を備え、前記第１の選択事項は、前記表示手段の表示面において、前記第１のアンテナに対して前記第２の選択事項よりも近くなる位置にて当該第１のアンテナが配置される位置を示すように表示され、前記第２の選択事項は、前記表示面において、前記第２のアンテナに対して前記第１の選択事項よりも近くなる位置にて当該第２のアンテナが配置される位置を示すように表示されることを特徴とする。
【００１３】
請求項５の発明は、請求項４に記載の携帯端末において、前記第１の選択事項および前記第２の選択事項は、前記表示手段の表示面において、前記利用者側から読めるように表示向きが変更されることを特徴とする。
【００１４】
請求項６の発明は、請求項１〜５のいずれか一項に記載の携帯端末において、前記非接触通信媒体は、前記利用者が決済するための決済処理用の通信媒体であって、前記特定手段は、前記検出手段による検出結果に基づいて前記利用者により選択された決済事項を前記利用者の要求として特定することを特徴とする。
【発明の効果】
【００１５】
請求項１の発明では、非接触通信媒体と非接触通信するためのアンテナであってそれぞれ離間する位置に複数のアンテナが配置されている。そして、検出手段により非接触通信媒体が複数のアンテナのいずれかにかざされたことを検出した検出結果に基づいて、特定手段により利用者の要求が特定される。
【００１６】
これにより、利用者が要求する選択事項に応じたアンテナに非接触通信媒体をかざすことで利用者の要求が特定されるため、携帯端末を渡すことなく利用者自身に選択させることができるので、簡易な構成にて利用者が要求する選択事項を確実に選択することができる。
【００１７】
特に、複数のアンテナのうちいずれか１つに非接触通信媒体がかざされたことが検出手段により検出されると、他方のアンテナに対して非接触通信媒体がかざされたことが検出手段により検出されない場合に、上記１つのアンテナに非接触通信媒体がかざされたことに基づいて、特定手段により利用者の要求が特定される。
【００１８】
これにより、複数のアンテナのうち２以上のアンテナで非接触通信媒体がかざされたことが検出手段により検出される場合、すなわち、非接触通信媒体がどのアンテナにかざされたか判断することが困難である場合には、特定手段による利用者の要求が特定されないので、誤った選択がなされることを抑制することができる。
【００１９】
請求項２の発明では、複数のアンテナのうちいずれか２つ以上にて非接触通信媒体がかざされたことが検出手段により検出されると、受信感度調整手段により、これらのアンテナの受信感度が徐々に下げられる。このように受信感度を徐々に下げていくと、最後まで検出されるアンテナに非接触通信媒体がかざされていると判断することができるので、利用者が要求する選択事項の選択に関する正確性を向上させることができる。
【００２２】
請求項３の発明では、第１のアンテナおよび第２のアンテナは、当該携帯端末の外面のうち互いに離間して対向する一側面および他側面にて、非接触通信媒体と非接触通信可能にそれぞれ配置される。これにより、携帯性を確保するために当該携帯端末が小型に形成される場合でも、第１のアンテナをかざす面と第２のアンテナをかざす面とを十分に離間させて誤検出を防止することができる。
【００２３】
請求項４の発明では、表示手段により、上記第１の選択事項が、第１のアンテナに対して第２の選択事項よりも近くなる位置にて当該第１のアンテナが配置される位置を示すように上記表示面に表示され、上記第２の選択事項は、第２のアンテナに対して第１の選択事項よりも近くなる位置にて当該第２のアンテナが配置される位置を示すように上記表示面に表示される。
【００２４】
これにより、利用者は、２つのアンテナがそれぞれ配置される場合でも自分の要求に対応するアンテナが配置される位置を容易に視認できるため、要求する選択事項を確実に選択することができる。
【００２５】
請求項５の発明では、第１の選択事項および第２の選択事項は、表示手段の表示面において、利用者側から読めるように表示向きが変更されるため、利用者は、自分の要求に対応するアンテナが配置される位置をより容易に視認できるため、要求する選択事項をより確実に選択することができる。
【００２６】
請求項６の発明では、非接触通信媒体は、利用者が決済するための決済処理用の通信媒体であり、特定手段により、検出手段による検出結果に基づいて利用者により選択された決済事項が利用者の要求として特定される。このように、決済処理用に使用される非接触通信媒体に対しても、当該非接触通信媒体を利用者が要求する決済事項（選択事項）に応じたアンテナにかざすことで利用者が要求する決済事項が特定されるため、簡易な構成にて利用者が要求する決済事項を確実に選択することができる。
【図面の簡単な説明】
【００２７】
【図１】本実施形態に係る決済端末のアンテナにＩＣカードをかざした状態を示す斜視図である。
【図２】図１の決済端末の電気的構成を例示するブロック図である。
【図３】本実施形態に係る制御部による決済条件選択処理の流れを例示するフローチャートである。
【図４】表示処理における表示部の表示状態を例示する説明図である。
【図５】本実施形態の変形例に係る制御部における決済条件選択処理の流れを例示するフローチャートである。
【発明を実施するための形態】
【００２８】
以下、本発明の携帯端末を決済端末１０に適用した一実施形態について、図面を参照して説明する。図１は、本実施形態に係る決済端末１０のアンテナ２１〜２３にＩＣカードＣをかざした状態を示す斜視図である。図２は、図１の決済端末１０の電気的構成を例示するブロック図である。
【００２９】
本実施形態に係る決済端末１０は、商品の購入に関する決済を行う携帯型の端末であって、現金だけでなくキャッシュカードやクレジットカードのような決済用媒体と非接触通信（無線通信）することで決済処理を行うように構成されている。特に、本実施形態では、上記決済用媒体として、非接触型のＩＣカードＣが採用されており、図１に示すように、決済端末１０には、ＩＣカードＣと非接触通信するための３つのアンテナ２１〜２３が設けられている。
【００３０】
上面アンテナ２１は、表示部１５にかざされるＩＣカードＣと非接触通信するように、表示部１５の周囲に配置される。また、第１側面アンテナ２２は、筐体１１の一側面１１ａにかざされるＩＣカードＣと非接触通信するように、当該一側面１１ａのうち表示部１５の近傍に配置される。また、第２側面アンテナ２３は、筐体１１の側面のうち一側面１１ａに対向する他側面１１ｂにかざされるＩＣカードＣと非接触通信するように、当該他側面１１ｂのうち表示部１５の近傍に配置される。このように、第１側面アンテナ２２および第２側面アンテナ２３は、決済端末１０の外面のうち一側面１１ａおよび他側面１１ｂに配置されることで、お互いに離間するように配置されることとなる。なお、第１側面アンテナ２２および第２側面アンテナ２３は、特許請求の範囲に記載の「第１のアンテナ」および「第２のアンテナ」の一例に相当し得る。
【００３１】
図２に示すように、決済端末１０の筐体１１内には、決済端末１０全体を制御する制御部１２が設けられている。この制御部１２は、マイコンを主体として構成されるものであり、ＣＰＵ、システムバス、入出力インターフェース等を有しており、メモリ１３とともに情報処理装置を構成し得るもので情報処理機能を有している。また、制御部１２には、キー操作部１４、表示部１５および通信インターフェース１６などが接続されている。
【００３２】
キー操作部１４は、制御部１２に対して操作信号を入力する構成をなしており、制御部１２は、これらからの操作信号を受けて操作信号の内容に応じた動作を行うようになっている。また、表示部１５は、制御部１２によって制御される構成をなしており、それぞれ、制御部１２から表示処理等に関する指令を受けて動作するようになっている。
【００３３】
通信インターフェース１６は、外部ホスト装置等との間での決算等に関するデータ通信を行うためのインターフェースとして構成されており、制御部１２と協働して通信処理を行う構成をなしている。また、筐体１１内には、電源となるバッテリ１７や電源部１８が収容されており、これらによって制御部１２や各種電気部品に電力が供給されるようになっている。
【００３４】
また、制御部１２には、当該制御部１２から入力される送信データを符号化して所定の送信信号として出力する送信部２４と、送信部２４からの送信される信号の出力を調整する送信出力調整部２５と、アンテナを介して受信された受信信号を復号化した受信データを制御部１２に入力する受信部２６と、受信部２６における受信時の感度を調整するための受信感度調整部２７と、アンテナ切替え部２８とがそれぞれ電気的に接続されている。
【００３５】
アンテナ切替え部２８は、上記各アンテナ２１〜２３にそれぞれ電気的に接続されており、制御部１２から入力される切替信号に応じて、送信部２４からの送信される送信信号を上記各アンテナ２１〜２３のいずれかを介して出力し、上記各アンテナ２１〜２３のいずれかを介して受信される受信信号を受信部２６に出力するように構成されている。
【００３６】
次に、決済端末１０において制御部１２により実施される決済条件選択処理について図３のフローチャートを参照して以下に説明する。図３は、本実施形態に係る制御部１２による決済条件選択処理の流れを例示するフローチャートである。図４は、表示処理における表示部１５の表示状態を例示する説明図である。
【００３７】
顧客（利用者）が商品を購入しこの購入費用の決済にＩＣカードＣが使用される場合、制御部１２により図３に示す決済条件選択処理が実施される。まず、図３のステップＳ１０１にて、表示処理がなされ、複数の決済条件が表示部１５に表示されることで、顧客に対して選択可能な決済条件が提示される。
【００３８】
具体的には、図４に例示するように、一括支払いを選択するための「一括」表示と分割支払いを選択するための「分割」表示との２つの決済条件に関する表示が、表示部１５の表示面１５ａに表示される。ここで、表示面１５ａにおける「一括」表示および「分割」表示は、顧客側から読めるように、表示向きが変更されて表示されている。特に、図４から分かるように、表示面１５ａ上の「一括」表示は、第１側面アンテナ２２に対して「分割」表示よりも近くなる位置にて当該第１側面アンテナ２２が配置される筐体１１の一側面１１ａを示すように表示されている。また、表示面１５ａ上の「分割」表示は、第２側面アンテナ２３に対して「一括」表示よりも近くなる位置にて当該第２側面アンテナ２３が配置される筐体１１の他側面１１ｂを示すように表示されている。なお、表示部１５および表示面１５ａは、特許請求の範囲に記載の「表示手段」および「表示面」の一例に相当し、「一括」および「分割」は、特許請求の範囲に記載の「第１の選択事項」および「第２の選択事項」の一例に相当し得る。
【００３９】
このように選択可能な決済条件が表示部１５に表示されると、ステップＳ１０３にて第１側面アンテナ２２による読取処理がなされ、アンテナ切替え部２８により読取可能に切り替えられた第１側面アンテナ２２を用いて、ＩＣカードＣを読み取るための処理がなされる。ここで、ＩＣカードＣが第１側面アンテナ２２にかざされていない場合には、ステップＳ１０５にてカードが検出されないとしてＮｏと判定される。そして、ステップＳ１０７にて第２側面アンテナ２３による読取処理がなされ、アンテナ切替え部２８により読取可能に切り替えられた第２側面アンテナ２３を用いて、ＩＣカードＣを読み取るための処理がなされる。ここで、ＩＣカードＣが第２側面アンテナ２３にかざされていない場合には、ステップＳ１０９にてカードが検出されないとしてＮｏと判定されて、ステップＳ１０３からの処理がなされる。そして、ＩＣカードＣが第１側面アンテナ２２および第２側面アンテナ２３の少なくともいずれか一方にて検出されるまで、ステップＳ１０３〜Ｓ１０９の処理が繰り返されることとなる。なお、ステップＳ１０５およびステップＳ１０９を実施する制御部１２は、特許請求の範囲に記載の「検出手段」の一例に相当し得る。
【００４０】
このような繰り返し処理中に、例えば、顧客が一括払いの決済条件を選択するためにＩＣカードＣを第１側面アンテナ２２にかざすと、ステップＳ１０５にてＹｅｓと判定される。そして、ステップＳ１１１において、検出アンテナ番号記憶処理がなされる。この処理では、ＩＣカードＣが検出された側面アンテナを示す番号、上述した例では、第１側面アンテナ２２を示す番号が、メモリ１３に記憶される。
【００４１】
次に、ステップＳ１１３において、他方の側面アンテナによる読取処理がなされ、ステップＳ１１１にて記憶された番号の側面アンテナと異なる側面アンテナを用いたＩＣカードＣを無線通信により読み取るための処理がなされる。この処理では、上述のようにＩＣカードＣが第１側面アンテナ２２にて読み取られたことから、この第１側面アンテナ２２を示す番号がメモリ１３に記憶される場合には、第２側面アンテナ２３を用いたＩＣカードＣを無線通信により読み取るための処理がなされる。
【００４２】
そして、他方の側面アンテナ、すなわち、第２側面アンテナ２３によりＩＣカードＣが読み取られずステップＳ１１５にてカードが検出されないとしてＮｏと判定されると、ステップＳ１１７にて決済条件決定処理がなされる。この処理では、ステップＳ１１１にて記憶されたアンテナ番号に対応する決済処理、上述した例では、一括支払いが選択されて特定されることとなる。このように、顧客自らがＩＣカードＣを所望の決済条件に対応するアンテナにかざすことで決済条件が選択されて特定され、この選択に基づく決済処理がなされることとなる。なお、ステップＳ１１７を実施する制御部１２は、特許請求の範囲に記載の「特定手段」の一例に相当し得る。
【００４３】
一方、ステップＳ１１５において、他方の側面アンテナによりＩＣカードＣが読み取られる場合、例えば、ＩＣカードＣが第１側面アンテナ２２および第２側面アンテナ２３の双方にて読み取れる位置にかざされる場合には、Ｙｅｓと判定される。この場合、顧客の選択が明確にならないため、上述したステップＳ１１７の処理はなされず、ステップＳ１１９において、受信感度低減処理がなされる。この処理では、制御部１２により制御される受信感度調整部２７により各アンテナ２２，２３における受信感度が所定のレベルだけ低減される。そして、再び上記ステップＳ１０３からの処理がなされ、どちらか一方のアンテナのみがＩＣカードＣを検出するまで、ステップＳ１１５にてＹｅｓと判定されて、ステップＳ１１９にて受信感度が徐々に低減されることとなる。
【００４４】
このように徐々に受信感度を低減していくことで、どちらか一方のアンテナのみがＩＣカードＣを検出すると、ステップＳ１１５にてＮｏと判定されて、ステップＳ１１７にて、この検出されたアンテナにＩＣカードＣがかざされていると判断して、このアンテナに対応する決済方法が選択されることとなる。
【００４５】
以上説明したように、本第１実施形態に係る決済端末１０では、ＩＣカードＣと非接触通信するためのアンテナであってそれぞれ離間する位置に第１側面アンテナ２２および第２側面アンテナ２３が配置されている。そして、ステップＳ１０５またはＳ１０９にてＩＣカードＣが第１側面アンテナ２２および第２側面アンテナ２３のいずれかにかざされたことを検出した検出結果に基づいて、顧客の要求である決済条件が特定される。
【００４６】
これにより、顧客が要求する決済条件に応じたアンテナ２２，２３にＩＣカードＣをかざすことで顧客の要求である決済条件が特定されるため、決済端末１０を渡すことなく顧客自身に選択させることができるので、簡易な構成にて顧客が要求する決済条件を確実に選択することができる。
【００４７】
また、第１側面アンテナ２２および第２側面アンテナ２３のうちいずれか１つにＩＣカードＣがかざされたことが検出されると、他方のアンテナに対してＩＣカードＣがかざされたことが検出されない場合に、上記１つのアンテナにＩＣカードＣがかざされたことに基づいて、顧客が要求する決済条件が特定される。
【００４８】
これにより、第１側面アンテナ２２および第２側面アンテナ２３の双方のアンテナでＩＣカードＣがかざされたことが検出される場合、すなわち、ＩＣカードＣがどのアンテナにかざされたか判断することが困難である場合には、一方のアンテナにてＩＣカードＣが検出されたことのみをもって顧客が要求する決済条件が特定されないので、誤った選択がなされることを抑制することができる。
【００４９】
さらに、第１側面アンテナ２２および第２側面アンテナ２３の双方にてＩＣカードＣがかざされたことが検出されると、ステップＳ１１９における受信感度低減処理により、これらのアンテナの受信感度が徐々に下げられる。このように受信感度を徐々に下げていくと、最後まで検出されるアンテナにＩＣカードＣがかざされていると判断することができるので、顧客が要求する決済条件の選択に関する正確性を向上させることができる。
【００５０】
また、第１側面アンテナ２２および第２側面アンテナ２３は、決済端末１０の外面のうち互いに離間して対向する一側面１１ａおよび他側面１１ｂにて、ＩＣカードＣと非接触通信可能にそれぞれ配置される。これにより、携帯性を確保するために当該決済端末１０が小型に形成される場合でも、第１側面アンテナ２２をかざす面（一側面１１ａ）と第２側面アンテナ２３をかざす面（他側面１１ｂ）とを十分に離間させて、誤検出を防止することができる。なお、第１側面アンテナ２２および第２側面アンテナ２３は、対向する一側面１１ａおよび他側面１１ｂに配置されることに限らず、互いに離間した面に配置されてもよいし、互いに離間して配置可能であれば、同一の面に配置されてもよい。
【００５１】
さらに、表示部１５により、「一括」表示が、第１側面アンテナ２２に対して「分割」表示よりも近くなる位置にて当該第１側面アンテナ２２が配置される筐体１１の一側面１１ａを示すように上記表示面１５ａに表示され、「分割」表示は、第２側面アンテナ２３に対して「一括」表示よりも近くなる位置にて当該第２側面アンテナ２３が配置される筐体１１の他側面１１ｂを示すように上記表示面１５ａに表示される。
【００５２】
これにより、顧客は、２つのアンテナ２２，２３がそれぞれ配置される場合でも自分の要求に対応するアンテナが配置される位置を容易に視認できるため、要求する決済条件を確実に選択することができる。
【００５３】
さらにまた、「一括」表示および「分割」表示は、表示部１５の表示面１５ａにおいて、顧客側から読めるように表示向きが変更されるため、顧客は、自分の要求に対応するアンテナが配置される位置をより容易に視認できるため、要求する決済条件をより確実に選択することができる。なお、表示面１５ａに表示される選択項目は、「一括」および「分割」に限らず、顧客（利用者）が選択可能な選択事項を表示してもよい。
【００５４】
図５は、本実施形態の変形例に係る制御部１２における決済条件選択処理の流れを例示するフローチャートである。
図５に示すように、本実施形態の変形例として、上述したステップＳ１１９における受信感度低減処理に代えて、ステップＳ１２１における受信電波を用いた決済条件決定処理を実施するようにしてもよい。具体的には、第１側面アンテナ２２および第２側面アンテナ２３にてＩＣカードＣがかざされたことが検出されると、これらのアンテナのうち受信電波の最も強いアンテナにＩＣカードＣがかざされたことに基づいて、顧客が要求する決済条件が特定される。
【００５５】
ＩＣカードＣは、第１側面アンテナ２２および第２側面アンテナ２３のうち顧客の要求に対応するアンテナに対して最も近づけられるはずなので、受信電波の最も強いアンテナにＩＣカードＣがかざされたことに基づいて顧客が要求する決済条件を特定することで、各アンテナ同士を十分に離間させることができない場合でも、顧客が要求する決済条件を適切に選択することができる。
【００５６】
なお、本発明は上記実施形態に限定されるものではなく、以下のように具体化してもよい。
（１）本発明は、携帯型の決済端末に採用されることに限らず、例えば、光学的情報読取装置などの携帯端末であって、顧客などの利用者に対して所定の選択事項を選択させる必要がある携帯端末に採用されてもよい。このようにしても、利用者が要求する選択事項に応じたアンテナにＩＣカードなどの非接触通信媒体をかざすことで利用者の要求が特定されるため、携帯端末を渡すことなく利用者自身に選択させることができるので、簡易な構成にて利用者が要求する選択事項を確実に選択することができる。
【００５７】
（２）本発明は、ＩＣカードＣを無線通信対象とする携帯端末に採用されることに限らず、カード式の非接触通信媒体やＲＦＩＤタグのような非接触通信媒体を無線通信対象とする携帯端末に採用されてもよい。
【００５８】
（３）利用者が要求する選択事項に応じたアンテナは、第１側面アンテナ２２および第２側面アンテナ２３に限らず、例えば、上面アンテナ２１を選択事項に応じたアンテナとして採用してもよいし、他のアンテナを選択事項に応じたアンテナして追加してもよい。この場合、上述した決済条件選択処理では、ＩＣカード（非接触通信媒体）が複数のアンテナのいずれかにかざされたことを検出した検出結果に基づいて、特定手段により利用者の要求が特定される。
【符号の説明】
【００５９】
１０…決済端末（携帯端末）
１１ａ…一側面
１１ｂ…他側面
１２…制御部（検出手段，特定手段）
１５…表示部（表示手段）
１５ａ…表示面
２２…第１側面アンテナ（第１のアンテナ）
２３…第２側面アンテナ（第２のアンテナ）
Ｃ…ＩＣカード（非接触通信媒体）
【図１】
0005594190.tif 000002
【図２】
0005594190.tif 000003
【図３】
0005594190.tif 000004
【図４】
0005594190.tif 000005
【図５】
0005594190.tif 000006